(57)【要約】【課題】複数の文字が割り当てられたキー入力手段のキーにて選択確定する際、割り当てられた順番が後方の文字を選択したい場合は、複数回キーを押さなくてはならない。このため複数の文字を入力する場合、キーを操作する回数が非常に多く使いにくいという問題があった。【解決手段】この発明は、キー入力手段Ａのキーが操作された結果、その操作されたキーに割り当てられた数字や複数の文字や複数の記号等の中から、キー操作の回数によって、所望する数字もしくは文字もしくは記号が容易に選択でき、且つ選択した数字もしくは文字もしくは記号が一時的に割り当てられるキー入力手段Ｂ有し、その文字等を表示する表示手段とにより少ないキー操作の回数で所望する数字もしくは文字もしくは記号を容易に選択し、確定することが可能なことを特徴とする情報処理端末およびキー入力手段。【選択図】        図３
2004199488.tif 000002
【特許請求の範囲】
【請求項１】
少なくとも、所望する動作の指示情報やデータを入力する入力手段である操作手段と、前記操作手段よりの情報に基づいた情報とその他あらかじめ登録された情報と制御情報とを記憶する記憶手段と、前記記憶手段から読出した情報や操作手段から入力された情報を表示する表示手段と、前記操作手段の制御と前記記憶手段の記録および読出しの制御と前記表示手段の表示制御とを制御する制御手段とを備え、
操作手段は、複数の入力キーを備え、それぞれの入力キーごとに異なる数字と複数の文字と複数の記号とが割り当てられたキー配列を有し、キー操作により選択と確定とを行うことができる複数のキー入力手段Ａと、
前記キー入力手段Ａのいずれかのキーが操作された結果によって、前記操作されたキー入力手段Ａのキーに割り当てられた数字もしくは文字もしくは記号が、一時的に割り当てられるキー配列を有し、且つ一時的に割り当てられた数字もしくは文字もしくは記号の、選択と確定とを行うことができる複数のキー入力手段Ｂと、から構成される操作手段であって、
制御手段は、キー入力手段Ａが操作されたことにより、前記操作されたキー入力手段Ａのキーに割り当てられた数字もしくは文字もしくは記号の情報を、記憶手段より読み出し前記キー入力手段Ｂに割り当てる制御と、選択のキー操作の情報によって選択の制御と、確定のキー操作の情報によって確定の制御と、
前記キー入力手段Ｂに一時的に割り当てられた数字もしくは文字もしくは記号を、割り当てられたキー入力手段Ｂの配列と関連した位置に表示する制御と、を行うことを特徴とする制御手段であって、
前記キー入力手段Ａに割り当てられた数字や複数の文字や複数の記号の選択手順として、
キー入力手段Ａのキーを操作した後に確定操作を行わず前記キー入力手段Ａの操作したキーと同一のキーをさらに操作することにより、前記キー入力手段Ａの操作したキーに割り当てられた数字もしくは複数の文字もしくは複数の記号である複数の文字の種類の中から、所望する種類の数字もしくは文字もしくは記号を順次選択することを、特徴とする制御手段を備える情報処理端末。
【請求項２】
少なくとも、所望する動作の指示情報やデータを入力する入力手段である操作手段と、前記操作手段よりの情報に基づいた情報とその他あらかじめ登録された情報と制御情報とを記憶する記憶手段と、前記記憶手段から読出した情報や操作手段から入力された情報を表示する表示手段と、前記操作手段の制御と前記記憶手段の記録および読出しの制御と前記表示手段の表示制御とを制御する制御手段とを備え、
操作手段は、複数の入力キーを備え、それぞれの入力キーごとに異なる数字と複数の文字と複数の記号とが割り当てられたキー配列を有し、キー操作により選択と確定とを行うことができる複数のキー入力手段Ａと、
前記キー入力手段Ａのいずれかのキーが操作された結果によって、前記操作されたキー入力手段Ａのキーに割り当てられた数字もしくは文字もしくは記号が、一時的に割り当てられるキー配列を有し、且つ一時的に割り当てられた数字もしくは文字もしくは記号の、選択と確定とを行うことができる複数のキー入力手段Ｂと、から構成される操作手段であって、
制御手段は、キー入力手段Ａが操作されたことにより、前記操作されたキー入力手段Ａのキーに割り当てられた数字もしくは文字もしくは記号の情報を、記憶手段より読み出し前記キー入力手段Ｂに割り当てる制御と、選択のキー操作の情報によって選択の制御と、確定のキー操作の情報によって確定の制御と、
前記キー入力手段Ｂに一時的に割り当てられた数字もしくは文字もしくは記号を、割り当てられたキー入力手段Ｂの配列と関連した位置に表示する制御と、を行うことを特徴とする制御手段であって、
前記キー入力手段Ａに割り当てられた数字や複数の文字や複数の記号の選択手順として、
キー入力手段Ａのキーを操作した後に確定操作を行わず前記キー入力手段Ａの操作したキーと同一のキーをさらに操作することにより、前記キー入力手段Ａの操作したキーに割り当てられた数字もしくは複数の文字もしくは複数の記号である複数の文字の種類の中から、所望する種類の数字もしくは文字もしくは記号を順次選択することを、特徴とする制御手段の制御プログラムを記録したコンピュータ読取り可能な記録媒体。
【請求項３】
少なくとも、所望する動作の指示情報やデータを入力する入力手段である操作手段と、前記操作手段よりの情報に基づいた情報とその他あらかじめ登録された情報と制御情報とを記憶する記憶手段と、前記記憶手段から読出した情報や操作手段から入力された情報を表示する表示手段と、前記操作手段の制御と前記記憶手段の記録および読出しの制御と前記表示手段の表示制御とを制御する制御手段とを備え、
操作手段は、複数の入力キーを備え、それぞれの入力キーごとに異なる数字と複数の文字と複数の記号とが割り当てられたキー配列を有し、キー操作により選択と確定とを行うことができる複数のキー入力手段Ａと、
前記キー入力手段Ａのいずれかのキーが操作された結果によって、前記操作されたキー入力手段Ａのキーに割り当てられた数字もしくは文字もしくは記号が、一時的に割り当てられるキー配列を有し、且つ一時的に割り当てられた数字もしくは文字もしくは記号の、選択と確定とを行うことができる複数のキー入力手段Ｂと、から構成される操作手段であって、
制御手段は、キー入力手段Ａが操作されたことにより、前記操作されたキー入力手段Ａのキーに割り当てられた数字もしくは文字もしくは記号の情報を、記憶手段より読み出し前記キー入力手段Ｂに割り当てる制御と、選択のキー操作の情報によって選択の制御と、確定のキー操作の情報によって確定の制御と、
前記キー入力手段Ｂに一時的に割り当てられた数字もしくは文字もしくは記号を、割り当てられたキー入力手段Ｂの配列と関連した位置に表示する制御と、を行うことを特徴とする制御手段であって、
前記キー入力手段Ａに割り当てられた数字や複数の文字や複数の記号の選択手順として、
キー入力手段Ａのキーを操作した後に確定操作を行わず前記キー入力手段Ａの操作したキーと同一のキーをさらに操作することにより、前記キー入力手段Ａの操作したキーに割り当てられた数字もしくは複数の文字もしくは複数の記号である複数の文字の種類の中から、所望する種類の数字もしくは文字もしくは記号を順次選択することを、特徴とするキー入力方法。
【発明の詳細な説明】
【０００１】
【発明の属する技術分野】
本発明は、情報処理端末において入力手段にキー入力手段を備え、各キーにはそれぞれ数字や複数の文字や記号等の複数の種類の文字が割り当てられたキー配列を有し、キー操作の回数により複数の文字の種類から所望の数字や文字や記号を順次選択確定する制御方法に関する。
【０００２】
【従来の技術】
各キーは、それぞれ数字や複数の文字や記号が割り当てられたキー配列を有し、キー操作の回数により複数の文字の候補から所望の文字を順次選択確定していため、割り当てられた順番が後方の文字を選択したい場合は複数回キーを押さなくてはならなかった。また、数字や文字や記号の種類の変更は、文字を選択するためのキー操作以外に、文字の種類を変更するためのキーを操作しなければならなかった。
【０００３】
【発明が解決しようとする課題】
各キーにそれぞれ複数の文字が割り当てられたキー配列は、キー操作の回数により複数の文字候補から所望の文字を順次選択確定していため、割り当てられた順番が後方の文字を選択したい場合は複数回キーを押さなくてはならかった。また異なる文字の種類を入力するためには、数字入力状態やひらがな文字入力状態やカタカナ文字入力状態や英文字(アルファベット)入力状態や記号入力状態といった入力する文字の種類を切替えるためのキーを操作行い、入力状態を切替えなくては異なる文字の種類を入力することはできなかった。このため複数の文字や複数の文字の種類が混在する文章を入力する場合、キーを押す回数が非常に多くなり使いにくいという問題があった。
【０００４】
本発明は以上の問題を解決するためになされたもので、それぞれのキーに複数の文字の種類が割り当てられたキー入力手段でも、キー操作が少ない回数で、所望する文字の種類と文字を選択確定することが可能なキー入力手段を実現することを目的とする。
【０００５】
【課題を解決するための手段】
本発明の情報処理端末は、各キーに数字や複数の文字や複数の記号等が割り当てられたキー配列であっても、キー操作が少ない回数で選択確定することが可能なキー入力手段を実現するものである。
【０００６】
請求項１に記載の発明は、少なくとも、所望する動作の指示情報やデータを入力する入力手段である操作手段と、前記操作手段よりの情報に基づいた情報とその他あらかじめ登録された情報と制御情報とを記憶する記憶手段と、前記記憶手段から読出した情報や操作手段から入力された情報を表示する表示手段と、前記操作手段の制御と前記記憶手段の記録および読出しの制御と前記表示手段の表示制御とを制御する制御手段とを備え、
操作手段は、複数の入力キーを備え、それぞれの入力キーごとに異なる数字と複数の文字と複数の記号とが割り当てられたキー配列を有し、キー操作により選択と確定とを行うことができる複数のキー入力手段Ａと、
前記キー入力手段Ａのいずれかのキーが操作された結果によって、前記操作されたキー入力手段Ａのキーに割り当てられた数字もしくは文字もしくは記号が、一時的に割り当てられるキー配列を有し、且つ一時的に割り当てられた数字もしくは文字もしくは記号の、選択と確定とを行うことができる複数のキー入力手段Ｂと、から構成される操作手段であって、
制御手段は、キー入力手段Ａが操作されたことにより、前記操作されたキー入力手段Ａのキーに割り当てられた数字もしくは文字もしくは記号の情報を、記憶手段より読み出し前記キー入力手段Ｂに割り当てる制御と、選択のキー操作の情報によって選択の制御と、確定のキー操作の情報によって確定の制御と、
前記キー入力手段Ｂに一時的に割り当てられた数字もしくは文字もしくは記号を、割り当てられたキー入力手段Ｂの配列と関連した位置に表示する制御と、を行うことを特徴とする制御手段であって、
前記キー入力手段Ａに割り当てられた数字や複数の文字や複数の記号の選択手順として、
キー入力手段Ａのキーを操作した後に確定操作を行わず前記キー入力手段Ａの操作したキーと同一のキーをさらに操作することにより、前記キー入力手段Ａの操作したキーに割り当てられた数字もしくは複数の文字もしくは複数の記号である複数の文字の種類の中から、所望する種類の数字もしくは文字もしくは記号を順次選択することを、特徴とする制御手段を備える情報処理端末である。
【０００７】
請求項２に記載の発明は、少なくとも、所望する動作の指示情報やデータを入力する入力手段である操作手段と、前記操作手段よりの情報に基づいた情報とその他あらかじめ登録された情報と制御情報とを記憶する記憶手段と、前記記憶手段から読出した情報や操作手段から入力された情報を表示する表示手段と、前記操作手段の制御と前記記憶手段の記録および読出しの制御と前記表示手段の表示制御とを制御する制御手段とを備え、
操作手段は、複数の入力キーを備え、それぞれの入力キーごとに異なる数字と複数の文字と複数の記号とが割り当てられたキー配列を有し、キー操作により選択と確定とを行うことができる複数のキー入力手段Ａと、
前記キー入力手段Ａのいずれかのキーが操作された結果によって、前記操作されたキー入力手段Ａのキーに割り当てられた数字もしくは文字もしくは記号が、一時的に割り当てられるキー配列を有し、且つ一時的に割り当てられた数字もしくは文字もしくは記号の、選択と確定とを行うことができる複数のキー入力手段Ｂと、から構成される操作手段であって、
制御手段は、キー入力手段Ａが操作されたことにより、前記操作されたキー入力手段Ａのキーに割り当てられた数字もしくは文字もしくは記号の情報を、記憶手段より読み出し前記キー入力手段Ｂに割り当てる制御と、選択のキー操作の情報によって選択の制御と、確定のキー操作の情報によって確定の制御と、
前記キー入力手段Ｂに一時的に割り当てられた数字もしくは文字もしくは記号を、割り当てられたキー入力手段Ｂの配列と関連した位置に表示する制御と、を行うことを特徴とする制御手段であって、
前記キー入力手段Ａに割り当てられた数字や複数の文字や複数の記号の選択手順として、
キー入力手段Ａのキーを操作した後に確定操作を行わず前記キー入力手段Ａの操作したキーと同一のキーをさらに操作することにより、前記キー入力手段Ａの操作したキーに割り当てられた数字もしくは複数の文字もしくは複数の記号である複数の文字の種類の中から、所望する種類の数字もしくは文字もしくは記号を順次選択することを、特徴とする制御手段の制御プログラムを記録したコンピュータ読取り可能な記録媒体である。
【０００８】
請求項３に記載の発明は、少なくとも、所望する動作の指示情報やデータを入力する入力手段である操作手段と、前記操作手段よりの情報に基づいた情報とその他あらかじめ登録された情報と制御情報とを記憶する記憶手段と、前記記憶手段から読出した情報や操作手段から入力された情報を表示する表示手段と、前記操作手段の制御と前記記憶手段の記録および読出しの制御と前記表示手段の表示制御とを制御する制御手段とを備え、
操作手段は、複数の入力キーを備え、それぞれの入力キーごとに異なる数字と複数の文字と複数の記号とが割り当てられたキー配列を有し、キー操作により選択と確定とを行うことができる複数のキー入力手段Ａと、
前記キー入力手段Ａのいずれかのキーが操作された結果によって、前記操作されたキー入力手段Ａのキーに割り当てられた数字もしくは文字もしくは記号が、一時的に割り当てられるキー配列を有し、且つ一時的に割り当てられた数字もしくは文字もしくは記号の、選択と確定とを行うことができる複数のキー入力手段Ｂと、から構成される操作手段であって、
制御手段は、キー入力手段Ａが操作されたことにより、前記操作されたキー入力手段Ａのキーに割り当てられた数字もしくは文字もしくは記号の情報を、記憶手段より読み出し前記キー入力手段Ｂに割り当てる制御と、選択のキー操作の情報によって選択の制御と、確定のキー操作の情報によって確定の制御と、
前記キー入力手段Ｂに一時的に割り当てられた数字もしくは文字もしくは記号を、割り当てられたキー入力手段Ｂの配列と関連した位置に表示する制御と、を行うことを特徴とする制御手段であって、
前記キー入力手段Ａに割り当てられた数字や複数の文字や複数の記号の選択手順として、
キー入力手段Ａのキーを操作した後に確定操作を行わず前記キー入力手段Ａの操作したキーと同一のキーをさらに操作することにより、前記キー入力手段Ａの操作したキーに割り当てられた数字もしくは複数の文字もしくは複数の記号である複数の文字の種類の中から、所望する種類の数字もしくは文字もしくは記号を順次選択することを、特徴とするキー入力方法である。
【０００９】
【発明の実施の形態】
以下に、本発明の実施の形態例を詳細に説明する。図１は、本発明に係る情報処理端末のブロック図の一例を示す。図２と図３と図４は、本発明に係る情報処理端末の外観図の一例である。図５と図６と図７と図８とは、本発明の実施例である所望する文字を選択確定する動作例を説明するフローチャートである。
【００１０】
図１に示した情報処理端末１０は、制御手段２０と操作手段３０と表示手段４０と記憶手段５０とを有する。
情報処理端末１０の詳細な構成について以下に説明する。なお情報処理端末には、その他に通信手段やアンテナ手段や電源手段等があるが本説明では省略する。
【００１１】
制御手段２０は、操作手段３０と表示手段４０と記憶手段５０とに接続される。制御手段２０は、情報処理端末１０を構成する各手段を制御するマイクロプロセッサ等の制御手段であり、操作手段３０からの情報に基づき動作制御や表示手段４０の表示制御や記憶手段５０の情報の記録や読出し等の制御を行うものである。
【００１２】
操作手段３０は、制御手段２０に接続される。この操作手段３０は、操作情報やデータ等を入力するキー入力装置や音声入力装置等の入力手段であり、操作された内容を操作情報やデータ等を信号に変換して制御手段２０へ送信する。
【００１３】
表示手段４０は、制御手段２０に接続される。この表示手段４０は、各種の表示を行う液晶表示装置（ＬＣＤ）やモニター等と読出し音の発生を行うベル等の出力手段であり、情報処理端末１０の動作状態や操作手段３０からの操作情報や記憶手段５０の情報の記録や読出し等の内容を表示したり音を鳴らすことなどを行う。
【００１４】
記憶手段５０は、制御手段２０に接続される。この記憶手段５０は、各種情報の記憶を行うEEPROM等の不揮発性の記憶手段であり、電源が切れても記憶した情報を維持でき、且つ、電源がＯＮであれば書込みおよび読出しが可能である。この記憶手段５０に操作手段３０のそれぞれの各キーに数字や複数の文字や記号等が割り当てられた情報や制御手段を作動させるプログラム等を記憶する。
【００１５】
図２に示した情報処理端末１０の外観図は、主に操作部３０と表示部４０である。操作手段３０は、操作情報等を入力するキー入力装置の外観の一例である。
操作部３０はキー入力手段Ａ７０とキー入力手段Ｂ６０とからなる。なお表示手段４０の表示文字は、キー１６０に割り当てられたひらがな文字をキー入力手段Ｂ６０に一時的に割り当てた一例である。
【００１６】
表示手段４０は、各種の表示を行う液晶表示装置（ＬＣＤ）やモニター等で、情報処理端末１０の動作状態や操作手段３０からの操作情報や記憶手段５０の情報の記録／読出し等の内容を表示を行う物の外観の一例である。
【００１７】
キー入力手段Ｂ６０は、キー８０、キー９０、キー１００、キー１１０、キー１２０、キー１３０、キー１４０と、キー１５０とを備える。キー入力手段Ｂ６０は、キー入力手段Ａ７０のキーが操作されたことにより、その操作されたキー入力手段Ａ７０のキーに割り当てられた数字や複数の文字や複数の記号が、一時的に割り当てられるキー配列を有し、選択して確定することができる複数のキー入力手段である。
なおキー入力手段Ｂ６０は、文字入力状態以外の状態では、本説明以外の働きが割り当てられている。
【００１８】
キー入力手段Ａ７０のそれぞれの入力キーは、数字と複数の文字と複数の記号である複数の文字の種類と複数の文字が割り当てられたキー配列を有し、キー入力手段Ａ７０のそれぞれのキーを操作することによりキー入力手段Ｂ６０に一時的に割り当てる文字の種類の中から所望する数字もしくは複数の文字もしくは複数の記号を選択して確定する複数のキーを備える。
つまりキー入力手段Ａ７０のキーを操作した後に確定操作を行わず、前記キー入力手段Ａ７０の操作したキーと同一のキーをさらに操作することにより、前記キー入力手段Ａ７０の操作したキーに割り当てられた数字もしくは複数の文字もしくは複数の記号である複数の文字種類の中から、所望する種類の数字もしくは文字もしくは記号を順次選択することが可能である。
【００１９】
図３に示した情報処理端末１０の外観図は、表示手段４０の詳細として確定領域２８０と、操作部３０のキー入力手段Ｂ６０のそれぞれのキーに関連した表示位置２９０と、表示位置３００と、表示位置３１０と、表示位置３２０と、表示位置３３０と、表示位置３４０と、表示位置３５０と、を示す。さらにキー入力手段Ａ７０の詳細として、キー１６０、キー１７０、キー１８０、キー１９０、キー２００、キー２１０、キー２２０、キー２３０、キー２４０、キー２５０、キー２６０、キー２７０との外観を示す。
なお表示手段４０の表示文字は、キー１７０に割り当てられたひらがな文字をキー入力手段Ｂ６０に一時的に割り当てた一例である。
【００２０】
表示位置２９０は、キー８０に数字もしくは文字もしくは記号が一時的に割り当てられた際に、その割り当てられた数字もしくは文字もしくは記号を表示する位置である。
表示位置３００は、キー１００に数字もしくは文字もしくは記号が一時的に割り当てられた際に、その割り当てられた数字もしくは文字もしくは記号を表示する位置である。
表示位置３１０は、キー１１０に数字もしくは文字もしくは記号が一時的に割り当てられた際に、その割り当てられた数字もしくは文字もしくは記号を表示する位置である。
表示位置３２０は、キー１２０に数字もしくは文字もしくは記号が一時的に割り当てられた際に、その割り当てられた数字もしくは文字もしくは記号を表示する位置である。
表示位置３３０は、キー１３０に数字もしくは文字もしくは記号が一時的に割り当てられた際に、その割り当てられた数字もしくは文字もしくは記号を表示する位置である。
表示位置３４０は、キー１４０に数字もしくは文字もしくは記号が一時的に割り当てられた際に、その割り当てられた数字もしくは文字もしくは記号を表示する位置である。
表示位置３５０は、キー１５０に数字もしくは文字もしくは記号が一時的に割り当てられた際に、その割り当てられた数字もしくは文字もしくは記号を表示する位置である。
【００２１】
またキー入力手段Ａ７０のそれぞれのキーと、割り当てられている文字との関連は文字入力状態では以下の様に割り当てられているものとする。
キー１６０は、数字の１と、ひらがな文字”あ”、”い”、”う”、”え”、”お”、”ぁ”、”ぃ”、”ぅ”、”ぇ”、”ぉ”と、カタカナ文字”ア”、”イ”、”ウ”、”エ”、”オ”、”ァ”、”ィ”、”ゥ”、”ェ”、”ォ”の文字が割り当てられているものとする。
キー１７０は、数字の２と、ひらがな文字”か”、”き”、”く”、”け”、”こ”と、カタカナ文字”カ”、”キ”、”ク”、”ケ”、”コ”と、英文字”Ａ”、”Ｂ”、”Ｃ”、”ａ”、”ｂ”、”ｃ”の文字が割り当てられているものとする。
キー１８０は、数字の３とひらがな文字”さ”、”し”、”す”、”せ”、”そ”と、カタカナ文字”サ”、”シ”、”ス”、”セ”、”ソ”と、英文字”Ｄ”、”Ｅ”、”Ｆ”、”ｄ”、”ｅ”、”ｆ”の文字が割り当てられているものとする。
キー１９０は、数字の４とひらがな文字”た”、”ち”、”つ”、”て”、”と” と、カタカナ文字”タ”、”チ”、”ツ”、”テ”、”ト”と、英文字”Ｇ”、”Ｈ”、”Ｉ”、”ｇ”、”ｈ”、”ｉ”、の文字が割り当てられているものとする。
キー２００は、数字の５とひらがな文字”な”、”に”、”ぬ”、”ね”、”の” と、カタカナ文字”ナ”、”ニ”、”ヌ”、”ネ”、”ノ”と、英文字”Ｊ”、”Ｋ”、”Ｌ”、”ｊ”、”ｋ”、”ｌ”の文字が割り当てられているものとする。
キー２１０は、数字の６とひらがな文字”は”、”ひ”、”ふ”、”へ”、”ほ” と、カタカナ文字”ハ”、”ヒ”、”フ”、”ヘ”、”ホ”と、英文字”Ｍ”、”Ｎ”、”Ｏ”、”ｍ”、”ｎ”、”ｏ”の文字が割り当てられているものとする。
キー２２０は、数字の７とひらがな文字”ま”、”み”、”む”、”め”、”も” と、カタカナ文字”マ”、”ミ”、”ム”、”メ”、”モ”と、英文字”Ｐ”、”Ｑ”、”Ｒ”、”Ｓ”、”ｐ”、”ｑ”、”ｒ”、”ｓ”の文字が割り当てられているものとする。
キー２３０は、数字の８とひらがな文字”や”、”ゆ”、”よ”、”ゃ”、”ゅ”、”ょ” と、カタカナ文字”ヤ”、”ユ”、”ヨ”、”ャ”、”ュ”、”ョ”と、英文字”Ｔ”、”Ｕ”、”Ｖ”、”ｔ”、”ｕ”、”ｖ”の文字が割り当てられているものとする。
キー２４０は、数字の９とひらがな文字”ら”、”り”、”る”、”れ”、”ろ” と、カタカナ文字”ラ”、”リ”、”ル”、”レ”、”ロ”と、英文字”Ｗ”、”Ｘ”、”Ｙ”、”Ｚ”、”ｗ”、”ｘ”、”ｙ”、”ｚ”の文字が割り当てられているものとする。
キー２５０は、数字として”＊”とひらがな文字として濁点と半濁点の切り替えが割り当てられているものとする。
キー２６０は、数字の０とひらがな文字”わ”、”を”、”ん”、”、(句読点)”、”。(句読点)” と、カタカナ文字”ワ”、”ン”、”ヲ”と、英文字として”？”、”！”、”＋”、”＝”、”＆”、”＠”の文字が割り当てられているものとする。
キー２７０は、数字として”＃”とひらがな文字として全角のスペースとカタカナ文字として半角スペースとが割り当てられているものとする。
【００２２】
なお制御手段２０は、選択確定した数字もしくは文字もしくは記号の種類を記憶手段５０に記憶する。
制御手段２０は、次にキー入力手段Ａ７０が操作された場合に、記憶手段５０から直前に選択確定した数字もしくは文字もしくは記号の種類を読み出し、直前に選択確定した数字もしくは文字もしくは記号と同じ文字の種類を、操作手段３０のそれぞれのキーに割り当てるものとする。
【００２３】
またキー入力手段Ａ７０のキーを操作した後に確定操作を行わず、前記キー入力手段Ａ７０の操作したキーと同一のキーをさらに操作することにより、前記キー入力手段Ａ７０の操作したキーに割り当てられた数字もしくは複数の文字もしくは複数の記号である複数の文字の種類の中から、前記キー入力手段Ａ７０の操作したキーの操作回数により、所望する種類の数字もしくは文字もしくは記号を順次選択することが可能である。
一例として、一度操作するとひらがな文字入力状態（前回と同じ文字の種類）となり、操作されたキー入力手段Ａ７０のキーに割り当てられたひらがな文字がキー入力手段Ｂ６０のそれぞれのキーに一時的に割り当てられ入力可能な状態となる。
【００２４】
次に確定しないで同一のキー入力手段Ａ７０を操作すると、次の文字の種類であるカタカナ文字が入力状態となり、操作されたキー入力手段Ａ７０のキーに割り当てられたカタカナ文字がキー入力手段Ｂ６０のそれぞれのキーに一時的に割り当てられ入力可能な状態となる。
【００２５】
さらに確定しないで同一のキー入力手段Ａ７０を操作すると次の文字の種類である英文字が入力状態となり操作されたキー入力手段Ａ７０のキーに割り当てられた英文字がキー入力手段Ｂ６０のそれぞれのキーに一時的に割り当てられ入力可能な状態となる。
【００２６】
さらに確定しないで同一のキー入力手段Ａ７０を操作すると次の文字の種類である数字が入力可能な状態となる。
【００２７】
さらに確定しないで同一のキー入力手段Ａ７０を操作すると次の文字の種類であるひらがな文字が入力状態となり操作されたキー入力手段Ａ７０のキーに割り当てられたひらがな文字がキー入力手段Ｂ６０のそれぞれのキーに一時的に割り当てられ入力可能な状態となる。
【００２８】
以上の様にキー入力手段Ａ７０の同一のキーを確定しないで操作するたびに、入力可能な文字の種類は循環して変化するものとする。つまりキー入力手段Ａ７０の同一のキーを操作のたびに、ひらがな文字入力状態、カタカナ文字入力状態、英文字入力状態、数字入力状態、再びひらがな文字入力状態、と一方向に循環して変わるものとして説明する。
【００２９】
上記のように構成された情報処理端末１０に、”こ”の文字を入力する場合を、図５のフロ−チャ−トを参照して説明を行う。
なお、実施例の情報処理端末１０は、文字入力状態であるとする。つまり、キー入力手段Ａ７０を操作すると、割り当てられた文字が選択確定できる状態であるとする。また直前に選択確定した文字は、ひらがな文字であったとする。（Ｓ１０１）
【００３０】
まずひらがな文字の”こ”が割り当てられているキー入力手段Ａ７０の、キー１７０を操作する。（Ｓ１０２）
【００３１】
操作手段３０は、キー１７０が操作されたことを検出し、その情報を制御手段２０に送信する。
【００３２】
制御手段２０は、キー１７０が操作された情報を操作手段３０から受信する。受信結果に基づき制御手段２０は、直前に選択確定された数字もしくは文字もしくは記号の種類を記憶手段５０より読み出し、その情報と同じ数字もしくは文字もしくは記号の種類で且つキー１７０に割り当てられた数字もしくは文字もしくは記号の情報を記憶手段５０から読み出し、その読み出した情報をキー入力手段Ｂ６０に一時的に割り当てる。（Ｓ１０３）
つまりキー１７０が操作された結果、直前に選択確定された数字もしくは文字もしくは記号と同じ種類のキー１７０に割り当てられた数字もしくは文字もしくは記号であるひらがなが、割り当てられた順番にキー入力手段Ｂ６０のキー８０、キー１００、キー１１０、キー１２０、キー１３０、キー１４０、キー１５０、に一時的に割り当てられる。ただし、最初の割り当てられた文字は、確定候補として確定領域２８０に表示され確定操作が行われることにより確定するが、確定操作の前に選択操作された場合は、選択された文字等が新たに表示される。
従って、キー８０には”き”、キー１００には”く”、キー１１０には”け”、キー１２０には”こ”が割り当てられる。なおキー１３０とキー１４０とキー１５０とには、キー１７０に割り当てられた文字数が５文字であったため、本実施例では割り当てる文字が無いので何も割り当てないものとする。
【００３３】
制御手段２０は、表示手段４０にキー入力手段Ｂ６０に割り当てられた文字等を表示させる情報を送信する。
【００３４】
表示手段４０は、制御手段２０からの情報を受信し、次の表示を行う。確定領域２８０には、”か”が表示される。また、キー８０に割り当てられた文字”き”は、表示位置２９０に表示され、キー１００に割り当てられた文字”く”は、表示位置３００に表示され、キー１１０に割り当てられた文字”け”は、表示位置３１０に表示され、キー１２０に割り当てられた文字”こ”は、表示位置３２０に表示される。（Ｓ１０４）
【００３５】
キー入力手段Ｂ６０に一時的に割り当てられ文字等が表示されたことにより、キー入力手段Ｂ６０のそれぞれのキーに割り当てられた文字等が容易に識別することができる。つまり文字”こ”は、キー１２０に一時的に割り当てられたことが容易に識別することができる。
【００３６】
従って、キー１２０を操作して文字”こ”の選択を行うことができる。操作手段３０は、選択操作されたことを検出し、その情報を制御手段２０に送信する。
制御手段２０は、選択操作された情報を操作手段３０から受信する。  制御手段２０は、受信結果に基づき、表示手段４０の確定領域２８０に選択した文字を表示させる。なおキー１７０の最初の割り当てられた文字”か”は消して、選択操作した文字”こ”を確定領域２８０に表示する。
確定操作を行い、文字”こ”を確定する。（Ｓ１０５） なお文字”こ”の確定は、キー９０の右を押す、もしくは新たに別なキー入力手段Ａ７０のキーを操作することにより確定操作とみなし確定を行い、新たな文字入力状態となる。
【００３７】
続いて”a”を入力する例を、図６のフロ−チャ−トを参照して説明を行う。英文字の”a”が割り当てられているキーは、キー入力手段Ａ７０のキー１７０のアルファベットとして割り当てられている。
このとき直前に入力した文字状態は、ひらがな文字入力状態であるためカタカナ文字入力状態、さらに英文字入力状態と変えるため、３回キー１７０を操作する必要がある。
【００３８】
まず英文字の”a”が割り当てられているキー入力手段Ａ７０のキー１７０を操作する。（Ｓ１０６）
【００３９】
操作手段３０は、キー１７０が操作されたことを検出し、その情報を制御手段２０に送信する。
【００４０】
制御手段２０は、キー１７０が操作された情報を操作手段３０から受信する。受信結果に基づき制御手段２０は、直前に選択確定された数字もしくは文字もしくは記号の種類を記憶手段５０より読み出し、その情報と同じ数字もしくは文字もしくは記号の種類で且つキー１７０に割り当てられた数字もしくは文字もしくは記号の情報を記憶手段５０から読み出し、その読み出した情報をキー入力手段Ｂ６０に一時的に割り当てる。
つまりキー１７０が選択された結果、前記直前に選択確定された数字もしくは文字もしくは記号と同じ種類のキー１７０に割り当てられた文字つまりひらがなが、割り当てられた順番にキー入力手段Ｂ６０のキー８０、キー１００、キー１１０、キー１２０、キー１３０、キー１４０、キー１５０、に一時的に割り当てられる。
従って、キー８０には”き”、キー１００には”く”、キー１１０には”け”、キー１２０には”こ”が割り当てられる。（Ｓ１０７）
【００４１】
制御手段２０は、表示手段４０にキー入力手段Ｂ６０に割り当てられた文字等を表示させる情報を送信する。
【００４２】
表示手段４０は、制御手段２０からの情報を受信し、次の表示を行う。確定領域２８０には、”か”が表示される。また、キー８０に割り当てられた文字”き”は、表示位置２９０に表示され、キー１００に割り当てられた文字”く”は、表示位置３００に表示され、キー１１０に割り当てられた文字”け”は、表示位置３１０に表示され、キー１２０に割り当てられた文字”こ”は、表示位置３２０に表示される。（Ｓ１０８）
【００４３】
このときキー入力手段Ｂ６０に一時的に割り当てられ文字はひらがな文字であるため確定操作を行わず、さらにキー入力手段Ａ７０のキー１７０をさらに操作する。（Ｓ１０９）
【００４４】
操作手段３０は、キー１７０が操作されたことを検出し、その情報を制御手段２０に送信する。
【００４５】
制御手段２０は、キー１７０が再び操作された情報を操作手段３０から受信する。受信結果に基づき制御手段２０は、選択確定されずに再びキー１７０が操作されたことを検出する。
制御手段２０は、前記検出結果からひらがな文字の次に割り当たられているカタカナ文字の情報で、且つキー１７０に割り当てられたカタカナ文字の情報を、記憶手段５０より読み出し、その情報をキー入力手段Ｂ６０に一時的に割り当てる。
つまりキー１７０が確定操作を行わず再び操作された結果、キー１７０に割り当てられたカタカナ文字が割り当てられた順番にキー入力手段Ｂ６０のキー８０、キー１００、キー１１０、キー１２０、キー１３０、キー１４０、キー１５０、に一時的に割り当てられる。（Ｓ１１０）
従って、キー８０には”キ”、キー１００には”ク”、キー１１０には”ケ”、キー１２０には”コ”、が割り当てられる。
【００４６】
制御手段２０は、表示手段４０にキー入力手段Ｂ６０に割り当てられた文字等を表示させる情報を送信する。
【００４７】
表示手段４０は、制御手段２０からの情報を受信し、次の表示を行う。確定領域２８０には、”カ”が表示される。また、キー８０に割り当てられた文字”キ”は、表示位置２９０に表示され、キー１００に割り当てられた文字”ク”は、表示位置３００に表示され、キー１１０に割り当てられた文字”ケ”は、表示位置３１０に表示され、キー１２０に割り当てられた文字”コ”は、表示位置３２０に表示される。（Ｓ１１１）
【００４８】
このときキー入力手段Ｂ６０に一時的に割り当てられ文字はカタカナ文字であるため確定操作を行わず、さらにキー入力手段Ａ７０のキー１７０を操作する。（Ｓ１１２）
【００４９】
操作手段３０は、キー１７０が操作されたことを検出し、その情報を制御手段２０に送信する。
【００５０】
制御手段２０は、キー１７０が再び操作された情報を操作手段３０から受信する。受信結果に基づき制御手段２０は、選択確定されずに再びキー１７０が操作されたことを検出する。
制御手段２０は、前記検出結果からカタカナ文字の次に割り当たられている英文字の情報で、且つキー１７０に割り当てられた英文字の情報を、記憶手段５０より読み出し、その情報をキー入力手段Ｂ６０に一時的に割り当てる。
つまりキー１７０が確定操作を行わず再び操作された結果、キー１７０に割り当てられた英文字が割り当てられた順番にキー入力手段Ｂ６０のキー８０、キー１００、キー１１０、キー１２０、キー１３０、キー１４０、キー１５０、に一時的に割り当てられる。
従って、キー８０には”B”、キー１００には”C”、キー１１０には”a”、キー１２０には”b”、キー１３０には”c”が割り当てられる。（Ｓ１１３）
【００５１】
制御手段２０は、表示手段４０にキー入力手段Ｂ６０に割り当てられた文字等を表示させる情報を送信する。
【００５２】
表示手段４０は、制御手段２０からの情報を受信し、次の表示を行う。確定領域２８０には、”A”が表示される。また、キー８０に割り当てられた文字”B”は、表示位置２９０に表示され、キー１００に割り当てられた文字”C”は、表示位置３００に表示され、キー１１０に割り当てられた文字”a”は、表示位置３１０に表示され、キー１２０に割り当てられた文字”b”は、表示位置３２０に表示され、キー１３０に割り当てられた文字”c”は、表示位置３３０に表示される。（Ｓ１１４）
つまり文字”a”は、キー１１０に一時的に割り当てられたことが容易に識別することができる。
【００５３】
従って、キー１１０を操作して文字”a”の選択を行ことができる。操作手段３０は、選択操作されたことを検出し、その情報を制御手段２０に送信する。
制御手段２０は、選択操作された情報を操作手段３０から受信する。  制御手段２０は、受信結果に基づき、表示手段４０の確定領域２８０に選択した文字を表示させる。
なおキー１７０の最初の割り当てられた文字”A”は消して、選択操作した文字”a”を確定領域２８０に表示する。この時の表示例を、図４に示す。
従って文字”a”の確定操作を容易に行うことができる。（Ｓ１１５）なお文字”a”の選択確定が行われた後は、文字入力状態に戻る。
【００５４】
さらに数字の”２”を入力する例を図７のフロ−チャ−トを参照して説明する。”２”が割り当てられているキーは、キー入力手段Ａ７０のキー１７０の数字として割り当てられている。  従って、キー入力手段Ａ７０のキー１７０を操作する。（Ｓ１１６）
【００５５】
操作手段３０は、キー１７０が操作されたことを検出し、その情報を制御手段２０に送信する。
【００５６】
制御手段２０は、キー１７０が操作された情報を操作手段３０から受信する。受信結果に基づき制御手段２０は、直前に選択確定された数字もしくは文字もしくは記号の種類を記憶手段５０より読み出し、その情報と同じ数字もしくは文字もしくは記号の種類で且つキー１７０に割り当てられた数字もしくは文字もしくは記号の情報を記憶手段５０から読み出し、その読み出した情報をキー入力手段Ｂ６０に一時的に割り当てる。
つまりキー１７０が操作された結果、キー１７０に割り当てられた英文字が割り当てられた順番にキー入力手段Ｂ６０のキー８０、キー１００、キー１１０、キー１２０、キー１３０、キー１４０、キー１５０、に一時的に割り当てられる。
従って、キー８０には”B”、キー１００には”C”、キー１1０には”a”、キー１2０には”b”、キー１3０には”c”、が割り当てられる。（Ｓ１１７）
【００５７】
制御手段２０は、表示手段４０にキー入力手段Ｂ６０に割り当てられた文字等を表示させる情報を送信する。
【００５８】
表示手段４０は、制御手段２０からの情報を受信し、次の表示を行う。確定領域２８０には、”A”が表示される。この時、キー８０に割り当てられた文字”B”は、表示位置２９０に表示され、キー１００に割り当てられた文字”C”は、表示位置３００に表示され、キー１１０に割り当てられた文字”a”は、表示位置３１０に表示され、キー１２０に割り当てられた文字”b”は、表示位置３２０に表示され、キー１３０に割り当てられた文字”c”は、表示位置３３０に表示される。（Ｓ１１８）
【００５９】
このときキー入力手段Ｂ６０に一時的に割り当てられ文字は英文字であるため確定操作を行わず、さらにキー入力手段Ａ７０のキー１７０を操作する。（Ｓ１１９）
【００６０】
操作手段３０は、キー１７０が操作されたことを検出し、その情報を制御手段２０に送信する。
【００６１】
制御手段２０は、キー１７０が操作された情報を操作手段３０から受信する。受信結果に基づき制御手段２０は、選択確定されずに再びキー１７０が操作されたことを検出する。
制御手段２０は、前記検出結果から英文字の次に割り当たられている数字の情報を、記憶手段５０より読み出し、その情報をキー入力手段Ａ７０に一時的に割り当てられる。つまりキー１７０が再び操作された結果、キー入力手段Ａ７０に数字を割り当てる。
従って、キー１６０には”1”、キー１７０には”2”、キー１８０には”3”、キー１９０には”4”、キー２００には”5” キー２１０には”6”、キー２２０には”7”、キー２３０には”8”、キー２４０には”9”、キー２５０には”*” 、キー２６０には”0”、キー２７０には”#”が割り当てられる。（Ｓ１２０）
【００６２】
制御手段２０は、表示手段４０の確定領域２８０にキー１７０に割り当てられた数字の”２”を表示させる情報を送信する。
また制御手段２０は、表示手段４０にキー入力手段Ａ７０に割り当てられた文字が数字であるむねの表示させる情報を送信しても良い。
【００６３】
表示手段４０は、制御手段２０からの情報を受信し、キー１７０に割り当てられた数字の”２”を確定領域２８０に表示させる。また表示手段４０は、制御手段２０からキー入力手段Ａ７０に割り当てられた文字が数字であるむねの表示させる情報を受信した場合は、その表示をしても良い。
【００６４】
キー１７０に数字”２”が割り当てられ選択されているため確定の操作を行う。（Ｓ１２１）なお数字”２”の選択確定が行われた後は、文字入力状態に戻る。
【００６５】
さらに数字の”3”を入力する例を説明する。”3”が割り当てられているキーは、キー入力手段Ａ７０のキー１８０の数字として割り当てられている。  従って、キー入力手段Ａ７０のキー１８０を操作する。（Ｓ１２２）
【００６６】
操作手段３０は、キー１８０が操作されたことを検出し、その情報を制御手段２０に送信する。
【００６７】
制御手段２０は、キー１８０が操作された情報を操作手段３０から受信する。受信結果に基づき制御手段２０は、前回割り当てられた数字もしくは文字もしくは記号の種類情報を、記憶手段５０より読み出し、その結果数字であったことに従いキー入力手段Ａ７０に数字を一時的に割り当てる。つまりキー１８０が操作された結果、キー入力手段Ａ７０に数字を割り当てる
従って、キー１６０には”1”、キー１７０には”2”、キー１８０には”3”、キー１９０には”4”、キー２００には”5” キー２１０には”6”、キー２２０には”7”、キー２３０には”8”、キー２４０には”9”、キー２５０には”*” 、キー２６０には”0”、キー２７０には”#”が割り当てられる。（Ｓ１２３）
【００６８】
制御手段２０は、表示手段４０の確定領域２８０にキー１８０に割り当てられた数字の”３”を表示させる情報を送信する。
また制御手段２０は、表示手段４０にキー入力手段Ａ７０に割り当てられた文字が数字であるむねの表示させる情報を送信しても良い。
【００６９】
表示手段４０は、制御手段２０からの情報を受信し、キー１８０に割り当てられた数字の”３”を確定領域２８０に表示させる。また表示手段４０は、制御手段２０からキー入力手段Ａ７０に割り当てられた文字が数字であるむねの表示をせる情報を受信した場合は、その表示をしても良い。
【００７０】
キー１８０に数字”３”が割り当てられ選択されているため確定の操作を行う。（Ｓ１２４）なお数字”３”の選択確定が行われた後は、文字入力状態に戻る。
【００７１】
さらに”に”の文字を入力する例を図８のフロ−チャ−トを参照して説明する。
まず、”に”が割り当てられているキー入力手段Ａ７０のキー２００を操作する。（Ｓ１２５）
【００７２】
操作手段３０は、キー２００が操作されたことを検出し、その情報を制御手段２０に送信する。
【００７３】
制御手段２０は、キー２００が操作された情報を操作手段３０から受信する。受信結果に基づき制御手段２０は、前回割り当てられた数字もしくは文字もしくは記号の種類情報を、記憶手段５０より読み出し、その結果数字であったことに従いキー入力手段Ａ７０に数字を一時的に割り当てる。つまりキー２００が操作された結果、キー入力手段Ａ７０に数字を割り当てる
従って、キー１６０には”1”、キー１７０には”2”、キー１８０には”3”、キー１９０には”4”、キー２００には”5” キー２１０には”6”、キー２２０には”7”、キー２３０には”8”、キー２４０には”9”、キー２５０には”*” 、キー２６０には”0”、キー２７０には”#”が割り当てられる。（Ｓ１２６）
【００７４】
このときキー入力手段Ａ７０に一時的に割り当てられ文字は数字であるため確定操作を行わず、さらにキー入力手段Ａ７０のキー２００を操作する。（Ｓ１２７）
【００７５】
操作手段３０は、キー２００が操作されたことを検出し、その情報を制御手段２０に送信する。
【００７６】
制御手段２０は、キー２００が再び操作された情報を操作手段３０から受信する。受信結果に基づき制御手段２０は、選択確定されずに再びキー２００が操作されたことを検出する。
制御手段２０は、前記検出結果から数字の次のひらがなの情報で、且つキー１７０に割り当てられた文字の情報を、キー入力手段Ｂ６０に一時的に割り当てる。つまりキー２００が再び操作された結果、キー２００に割り当てられた文字が割り当てられた順番にキー入力手段Ｂ６０のキー８０、キー１００、キー１１０、キー１２０、キー１３０、キー１４０、キー１５０、に一時的に割り当てられる。
従って、キー８０には”に”、キー１００には”ぬ”、キー１１０には”ね”、キー１２０には”の”、が割り当てられる。（Ｓ１２８）
【００７７】
制御手段２０は、表示手段４０にキー入力手段Ｂ６０に割り当てられた文字等を表示させる情報を送信する。
【００７８】
表示手段４０は、制御手段２０からの情報を受信し、次の表示を行う。確定領域２８０には、”な”が表示される。また、キー８０に割り当てられた文字”に”は、表示位置２９０に表示され、キー１００に割り当てられた文字”ぬ”は、表示位置３００に表示され、キー１１０に割り当てられた文字”ね”は、表示位置３１０に表示され、キー１２０に割り当てられた文字”の”は、表示位置３２０に表示される。（Ｓ１２９）
つまり文字”に”は、キー８０に一時的に割り当てられたことが容易に識別することができる。
【００７９】
従って、キー２００を操作して文字”に”の選択を行うことができる。操作手段３０は、選択操作されたことを検出し、その情報を制御手段２０に送信する。
制御手段２０は、選択操作された情報を操作手段３０から受信する。制御手段２０は、受信結果に基づき、表示手段４０の確定領域２８０に選択した文字を表示させる。
なおキー２００の最初の割り当てられた文字”な”は消して、選択操作した文字”に”を確定領域２８０に表示する。
確定操作を行い、文字”に”を確定する。（Ｓ１３０）なお文字”に”の選択確定が行われた後は、文字入力状態に戻る。
【００８０】
なお以上説明した実施例では、数字や文字や記号の確定は、キー９０の右を押す、もしくは新たに別なキー入力手段Ａ７０のキーを操作することにより確定操作とみなし確定を行うとしてとして説明しているが発明の形態を限定するものでは無い。さらに実施例のキー配列も発明の形態を限定するものでは無い。
例えば確定するためのキーを別に用意しても良いし、またキー入力手段Ｂ６０のキーを選択のために操作した後、さらにもう一度操作して確定としても良いし、さらにまたキー入力手段Ｂ６０のキーを選択のために操作する時間を長く操作することで確定操作としても良い。
【００８１】
また以上説明した実施例では、文字入力状態のときにキー入力手段Ａ７０の同一のキーを操作のたびに入力可能な文字状態は、ひらがな文字入力状態、カタカナ文字入力状態、英文字入力状態、数字入力状態、ふたたびひらがな文字入力状態、と一方向に循環して変わるものとして説明しているが発明の形態を限定するものではない。
例えば入力可能な文字の種類を、キー入力手段Ａ７０のキーを操作するたびに一方向に循環して変わるもの以外に、循環する方向をキー９０の右側を操作することにより前進方向や、キー９０の左側を操作することにより後退方向に変化させることも可能である。
また、入力可能な文字の種類を選択するキーとして、キー入力手段Ｂ６０の文字や記号が割り当てられないキーに割り当てることも可能である。
【００８２】
また実施例では、一例としてひらがな文字、カタカナ文字、英文字、数字や記号を割り当てられて説明しているが発明の形態を限定するものでは無く、他の文字や他の記号や他の図形を割り当てても同様な効果が得られる。
つまり実施例のキーに割り当てられている文字は一例であって、他の文字の組み合わせや、他の配列であっても同様な効果が得られる。数字とひらがな文字とカタカナ文字とアルファベットと記号とで説明したが、実施例以外の文字、例えばギリシャ文字やロシア文字等の他の国の文字でも同様な効果が得られる。
【００８３】
さらに、例えば”こ”が割り当てられているキー入力手段Ａ７０のキー１７０が操作されると、キー１７０に割り当てられた文字等が割り当てられた順番にキー入力手段Ｂ６０のキー８０には”き”、キー１００には”く”、キー１１０には”け”、キー１２０には”こ”が割り当てられる。このとき、キー１３０とキー１４０とキー１５０とには、キー１７０に割り当てられた文字数が５文字であるため一時的に割り当てる文字が無いが、キー１７０の次のキー１８０に割り当てられている文字等を、割り当てても良い。もしくは一時的に割り当てる文字が無い場合は、使用頻度の高い文字や記号をもしくは数字を割り当てても同様な効果が得られる。
【００８４】
さらに、キー入力手段Ａ７０の各キーの最初に割り当てられた文字は確定領域２８０に表示されるだけであるが、キー入力手段Ｂ６０に一時的に割り当てても同様な効果が得られる。
【００８５】
【発明の効果】
以上実施の形態例と共に詳細に説明したように、以下のような効果が得られる。
この発明は、少なくともキー入力手段Ａのキーが操作された結果、その操作されたキーに割り当てられた数字や複数の文字や複数の記号等の中から、前記操作されたキー入力手段Ａの同一のキーの操作回数によって所望する数字もしくは文字もしくは記号が容易に選択でき、且つ選択した数字もしくは文字もしくは記号が一時的に割り当てられるキー入力手段Ｂ有し、前記キー入力手段Ｂに、一時的に割り当てらた数字もしくは複数の文字もしくは記号を表示する表示手段とにより少ないキー操作の回数で所望する数字もしくは文字もしくは記号の種類を容易に選択し、且つ所望する数字もしくは文字もしくは記号を選択確定することが可能なことを特徴とする情報処理端末およびキー入力手段を実現できる。
【図面の簡単な説明】
【図１】本発明の情報処理端末の実施の形態例に係るブロック図である。
【図２】本発明の情報処理端末の実施の形態例に係る外観図である。
【図３】本発明の情報処理端末の実施の形態例に係る外観図である。
【図４】本発明の情報処理端末の実施の形態例に係る外観図である。
【図５】本発明の情報処理端末の所望する文字を選択確定する動作例を説明するフロ−チャ−トである。
【図６】本発明の情報処理端末の所望する文字を選択確定する動作例を説明するフロ−チャ−トである。
【図７】本発明の情報処理端末の所望する文字を選択確定する動作例を説明するフロ−チャ−トである。
【図８】本発明の情報処理端末の所望する文字を選択確定する動作例を説明するフロ−チャ−トである。
【符号の説明】
１０  情報処理端末
２０  制御手段
３０  操作手段
４０  表示手段
５０  記憶手段
６０  キー入力手段Ｂ
７０  キー入力手段Ａ
８０  キー
９０  キー
１００  キー
１１０  キー
１２０  キー
１３０  キー
１４０  キー
１５０  キー
１６０  キー
１７０  キー
１８０  キー
１９０  キー
２００  キー
２１０  キー
２２０  キー
２３０  キー
２４０  キー
２５０  キー
２６０  キー
２７０  キー
２８０  確定候補の表示位置
２９０  キー８０に割り付けられた文字もしくは記号の表示位置
３００  キー１００に割り付けられた文字もしくは記号の表示位置
３１０  キー１１０に割り付けられた文字もしくは記号の表示位置
３２０  キー１２０に割り付けられた文字もしくは記号の表示位置
３３０  キー１３０に割り付けられた文字もしくは記号の表示位置
３４０  キー１４０に割り付けられた文字もしくは記号の表示位置
３５０  キー１５０に割り付けられた文字もしくは記号の表示位置
【図１】
2004199488.tif 000003
【図２】
2004199488.tif 000004
【図３】
2004199488.tif 000005
【図４】
2004199488.tif 000006
【図５】
2004199488.tif 000007
【図６】
2004199488.tif 000008
【図７】
2004199488.tif 000009
【図８】
2004199488.tif 000010